(57)【要約】【課題】コンテンツの不正使用を極めて確実に阻止し得る磁気記録媒体および磁気記録装置の提供を目的とする。【解決手段】磁気記録装置１に含まれる磁気ディスク１０は、基板１１上に磁性層１５を有し、磁性層１５に各種情報を記録可能なものであり、磁性層１５を加熱して消磁させることができる発熱層１６を備える。発熱層１６は、少なくとも酸素と接触することにより発熱する物質１７を含む。【選択図】　　　　図１
2004046938.tif 000002
【特許請求の範囲】
【請求項１】
基板上に磁性層を有し、前記磁性層に各種情報を記録可能な磁気記録媒体において、
少なくとも酸素と接触することにより発熱する物質を含み、前記磁性層を加熱して消磁させることができる発熱層を備えることを特徴とする磁気記録媒体。
【請求項２】
前記発熱する物質は、鉄または鉄を含む物質であることを特徴とする請求項１に記載の磁気記録媒体。
【請求項３】
基板上に磁性層を有する磁気記録媒体を含み、この磁気記録媒体の前記磁性層に対する各種情報の記録・再生を実行可能な磁気記録装置において、
前記磁気記録媒体は、前記磁性層を加熱して消磁させることができる発熱層を備えており、この発熱層が、少なくとも酸素と接触することにより発熱する物質を含んでいることを特徴とする磁気記録装置。
【請求項４】
前記発熱する物質は、鉄または鉄を含む物質であることを特徴とする請求項３に記載の磁気記録装置。
【請求項５】
前記磁気記録媒体を収容する筐体を更に備え、この筐体内には、不活性ガスが封入されていることを特徴とする請求項３または４に記載の磁気記録装置。
【請求項６】
基板上に磁性層を有する磁気記録媒体を含み、この磁気記録媒体の前記磁性層に対する各種情報の記録・再生を実行可能な磁気記録装置において、
少なくとも酸素と接触することにより発熱する物質を含み、前記磁性層を加熱して消磁させることができる発熱体を備え、前記発熱体が前記磁気記録媒体の近傍に配置されていることを特徴とする磁気記録装置。
【請求項７】
前記発熱する物質は、鉄または鉄を含む物質であることを特徴とする請求項６に記載の磁気記録装置。
【請求項８】
前記磁気記録媒体を収容する筐体を更に備え、この筐体内には、不活性ガスが封入されていることを特徴とする請求項６または７に記載の磁気記録装置。
【発明の詳細な説明】
【０００１】
【発明の属する技術分野】
本発明は、磁性層を有する磁気記録媒体、および、それを備えた磁気記録装置に関する。
【０００２】
【従来の技術】
現在では、市販されているパソコン等の端末機器に様々なコンテンツが予めインストールされている。また、インターネット等の電気通信回線の普及により、ユーザは、電気通信回線を介して所望のコンテンツを入手（ダウンロード）して、入手したコンテンツを容易に利用できるようになっている。その一方で、様々なコンテンツが容易に幅広く頒布されるようになればなるほど、コンテンツの不正使用を確実に防止して、著作権の保護を強化する必要が生じる。
【０００３】
コンテンツの不正使用を防止するために、従来から、ＩＤ番号やパスワード等を設定することにより、コンテンツの不正使用を制限することが行なわれている。しかしながら、正当な契約者がＩＤ番号やパスワードを第三者に漏洩した場合、当該第三者はそのコンテンツを容易に不正使用できてしまう。このため、コンテンツの不正使用を防止する新たな対策として、コンテンツを記録する記録媒体自体にもＩＤ番号等を埋め込んでおき、埋め込まれたＩＤ番号に基づいてコンテンツの利用を可能にする解除キー（コンテンツキー）を取得または作成することにより、コンテンツの利用を許容するシステムが提案されている。
【０００４】
【発明が解決しようとする課題】
しかしながら、専門の知識や技術をもつ者にとって、ハードディスク装置等を分解して記録媒体の記録内容を磁気ヘッドにより読み取り、信号処理を施してＩＤを盗用することは、さほど困難なことではない。従って、上述のようなコンテンツの不正使用防止システムを利用したとしても、コンテンツの不正使用を完全に防止することは困難である。このため、コンテンツを供給する者の権利を保護しつつ、インターネット等を介したコンテンツ配信等の普及を図る上で、コンテンツの不正使用をより一層確実に阻止し得る対策を講じる必要がある。
【０００５】
そこで、本発明は、コンテンツの不正使用を極めて確実に阻止し得る磁気記録媒体および磁気記録装置の提供を目的とする。
【０００６】
【課題を解決するための手段】
本発明による磁気記録媒体は、基板と、基板上の磁性層とを有するものであり、磁性層には、様々なコンテンツや、コンテンツを利用するために必要なＩＤといった各種情報を記録することができる。
【０００７】
ここで、磁気記録のために磁性層（磁性体）に磁場を加えると、磁性層の磁区のうち、加えられた磁場と同方向に磁化している複数の磁区が、それらの間に位置する磁壁を追いやるようにして増加し、磁壁が消滅した段階で一体の磁区を形成する。このような飽和磁化状態では、磁場が取り除かれても、追いやられた磁壁は磁場を加える前の位置に戻ることはない。磁気記録は、このような磁性体の性質を利用して行われるが、その一方で、磁性層が昇温し、磁性層温度がキュリー温度に達すると、磁性体としての性質が失われ、磁性層に記録された磁気情報は消滅することになる。
【０００８】
本発明の磁気記録媒体は、このような磁性体の性質を利用するものであり、少なくとも酸素と接触することにより発熱する物質を含む発熱層を備えている。これにより、例えば、磁気記録媒体の磁性層に記録されているＩＤ等が不正に読み出されそうになった際に、発熱層が酸素と接触して反応するようにしておけば、磁性層を発熱層によって加熱して、磁性層に記録されているコンテンツおよびＩＤ等の所望の一部またはすべてを消去することが可能となる。従って、この磁気記録媒体を用いれば、コンテンツの不正使用を極めて確実に阻止することができる。
【０００９】
この場合、発熱する物質は、鉄または鉄を含む物質であると好ましい。このような構成を採用すれば、適切な触媒等を利用することにより、発熱層の温度や、発熱層が所望温度まで達する時間等を容易かつ精度よく調節することができる。
【００１０】
本発明による磁気記録装置は、基板上に磁性層を有する磁気記録媒体を含み、この磁気記録媒体の磁性層に対する各種情報の記録・再生を実行可能な磁気記録装置において、磁気記録媒体は、磁性層を加熱して消磁させることができる発熱層を備えており、この発熱層が、少なくとも酸素と接触することにより発熱する物質を含んでいることを特徴とする。
この場合、発熱する物質は、鉄または鉄を含む物質であると好ましい。
【００１１】
また、磁気記録媒体を収容する筐体を更に備え、この筐体内には、不活性ガスが封入されていると好ましい。
【００１２】
このような構成のもとでは、磁気記録装置の筐体が開封されなければ、筐体内には実質的に酸素が存在しないことになるので、発熱層が熱を発生することはなく、磁気記録媒体の磁性層に記録されているコンテンツやＩＤ等が消去されてしまうことはない。その一方で、専門の知識や技術をもつ者等が、磁気記録媒体の記録内容を読み取るために磁気記録装置を分解しようとして筐体を開封すれば、直ちに筐体内に空気が流入し、空気中の酸素と接触した発熱層による磁性層の加熱が開始されることになる。従って、かかる構成によれば、磁性層に記録されているＩＤ等が不正盗用される前に、磁性層に記録されているコンテンツおよびＩＤ等の所望の一部またはすべてを消去することが可能となる。
【００１３】
本発明による他の磁気記録装置は、基板上に磁性層を有する磁気記録媒体を含み、この磁気記録媒体の磁性層に対する各種情報の記録・再生を実行可能な磁気記録装置において、少なくとも酸素と接触することにより発熱する物質を含み、磁性層を加熱して消磁させることができる発熱体を備え、発熱体が磁気記録媒体の近傍に配置されていることを特徴とする。
【００１４】
すなわち、少なくとも酸素と接触することにより発熱する物質を含む発熱手段は、磁気記録媒体に設けられる代わりに、磁気記録装置の筐体内に、磁気記録媒体の近傍に位置するように配置されてもよい。
この場合も、発熱する物質は、鉄または鉄を含む物質であると好ましい。
【００１５】
また、磁気記録媒体を収容する筐体を更に備え、この筐体内には、不活性ガスが封入されていると好ましい。
【００１６】
【発明の実施の形態】
以下、図面と共に本発明による磁気記録媒体および磁気記録装置の好適な実施形態について詳細に説明する。
【００１７】
図１は、本発明による磁気記録装置を示す概略構成図である。同図に示される磁気記録装置１は、コンピュータ用外部記憶装置（ハードディスク装置）を始めとして、各種用途に適用可能なものである。同図に示されるように、磁気記録装置１は、筐体２を有しており、筐体２の内部には、磁気ディスク（磁気記録媒体）１０が収容されている。磁気ディスク１０は、スピンドルモータ３の回転軸３ａに取り付けられており、スピンドルモータ３によって所望速度で回転駆動される。
【００１８】
また、筐体２の内部には、磁気ディスク１０に対する情報の読取／書込を行う磁気ヘッド（スライダ）４、および、その先端に磁気ヘッド４を支持するヘッドアーム（サスペンション）５が配置されている。ヘッドアーム５は、ボイスコイルモータ（アクチュエータ）６によって旋回移動させられ、これにより、磁気ヘッド４は、磁気ディスク１０の所望のトラック上に位置決めされる。更に、筐体２の内部には、磁気ヘッド４による読取／書込、スピンドルモータ３の動作、および、ボイスコイルモータ６の動作等を制御する制御回路等が実装された回路基板７が配置されている。筐体２内の磁気ディスク１０の側方には、ディスク回転停止時に、磁気ヘッド４を待避させるためのランプ（図示省略）等が配置されている。
【００１９】
図２は、上述の磁気記録装置１に含まれる磁気ディスク１０を示す断面図である。同図に示されるように、磁気ディスク１０は、アルミ、ガラス、あるいは、プラスチック等の樹脂等からなる円盤状の基板１１を含む。基板１１の表面（図２における上面）のほぼ全体には、様々なコンテンツやコンテンツを利用するために必要なＩＤといった各種情報を記録させることができる磁性層１５が環状に形成されている。更に、磁性層１５の上には、スピンコータによって潤滑層（図示省略）が形成される。
【００２０】
更に、磁気ディスク１０は、磁性層１５が形成されている面と反対側の面に、発熱層１６を有している。発熱層１６は、少なくとも酸素に触れると化学反応を起こして熱を発生する発熱物質１７を含むものである。本実施形態では、発熱物質１７として、いわゆる使い捨て式カイロ等において用いられている鉄または鉄を含む物質の粉体が採用される。ここで、本来、鉄の酸化速度（鉄が錆びる速さ）は比較的遅いことから、使い捨て式カイロの場合と同様に、鉄の酸化速度を速めると共に熱が所望時間にわたって発生し続けるように、発熱物質１７には、水、少量の塩類（例えば、塩化ナトリウム（食塩）等）および活性炭が添加されている。この場合、塩化ナトリウムは、鉄の酸化を促進させる触媒としての役割を果たし、活性炭は、空気中の酸素を吸収して発熱物質１７と酸素との接触を促進させると共に、反応温度の調節をも実行する。
【００２１】
一方、磁気ディスク１０に対する記録・再生が行なわれる際、磁気ヘッド４と磁性層１５の表面との間のギャップは、およそ数ｎｍ程度となる。従って、発熱層１６に含まれる微細な粉塵（鉄粉、活性炭、塩類等）および水分によって、磁気ヘッド４による記録・再生が妨げられてしまうおそれもある。このため、本実施形態では、発熱層１６には、透湿フィルム１８が含まれており、発熱物質１７は、図２に示されるように、透湿フィルム１８によって覆われた状態で基板１１に対して装着される。これにより、磁気ディスク１０の磁性層１５が形成されている面と反対側の面に、磁気記録および再生に何ら影響を与えない発熱層１６を形成することができる。
【００２２】
透湿フィルム１８は、多数の微細な孔を有するものであり、微細な粉塵や水分の透過を規制する一方、空気等の気体の通過を許容するものである。すなわち、好適な透湿フイルム１８の一つ孔の大きさは、水滴のおよそ２万分の１程度である一方、水蒸気の分子のおよそ７００倍程度である。これにより、発熱物質１７と気体との接触を許容しつつ、発熱物質１７等の粉塵や水分の飛散を防止することが可能となる。このような透湿フィルム１８としては、例えば、１ｃｍ２あたり約１４億個もの微細な孔を有するゴアテックス（商標）メンブレン等を採用することができる。
【００２３】
透湿フィルム１８を介して発熱層１６の発熱物質１７が酸素（空気）と接触すると、発熱層１６からは、いわゆる使い捨て式カイロと同様の原理により、鉄粉等が酸化する（錆びる）際に熱が発生されることになる。一方、磁気ディスク１０に記録されているコンテンツ等が正当に使用される限り、本来、それらのコンテンツ等を消去する必要はない。このため、磁気ディスク１０を収容する筐体２の内部には、不活性ガスＩＧが封入されている。このように、筐体２の内気を不活性ガスＩＧによって完全に置換しておくことにより、磁気記録装置１の動作時等に誤って磁気情報が消去されてしまうことを防止することができる。
【００２４】
さて、上述のように構成されている本発明による磁気記録装置１では、磁気ディスク１０の磁性層１５に、様々なコンテンツや、コンテンツを利用するために必要なＩＤといった各種情報を記録することができる。
【００２５】
ここで、磁気記録のために磁性層１５（強磁性体）に磁場Ｈを加えると、磁性層１５の磁区のうち、加えられた磁場Ｈと同方向に磁化している複数の磁区が、それらの間に位置する磁壁Ｗを追いやるようにして増加し、磁壁Ｗが消滅した段階で一体の磁区を形成する（図３および図４参照）。このような飽和磁化状態では、磁場が取り除かれても、追いやられた磁壁は磁場を加える前の位置に戻ることはない。
【００２６】
磁性層１５に対する磁気記録は、このような磁性体の性質を利用して行われるが、その一方で、図５からわかるように、磁性層１５が昇温し、磁性層温度がキュリー温度Θｆに達すると、磁性層１５から磁性体としての性質が失われ、磁性層１５に記録された磁気情報は消滅することになる。一般に、磁気ディスク１０の磁性層１５として使用される希土類−鉄アモルファス薄膜（Ｃｇ−Ｆｅ，Ｔｈ−Ｆｅ，Ｄｙ−Ｆｅ，Ｈｏ−Ｆｅ等）では、組成に依存するが、キュリー温度Θｆは、およそ１００〜６００℃の範囲にある。
【００２７】
このような磁性体の性質に鑑みて、磁気記録装置１に含まれる磁気ディスク１０には、発熱層１６が備えられている。すなわち、専門の知識や技術をもつ者等が、磁気ディスク１０の記録内容を読み取るために磁気記録装置１を分解しようとして筐体２を少しでも開封すれば、直ちに筐体２内に空気が流入し、空気中の酸素と接触した発熱層１６の発熱物質１７による基板１１を介した磁性層１５の加熱が開始されることになる。そして、発熱層１６によって、磁性層１５は、そのキュリー温度Θｆまで加熱される。これにより、磁気ディスク１０を含む磁気記録装置１では、磁性層１５に記録されているＩＤ等が不正盗用される前に、磁性層１５に記録されているコンテンツおよびＩＤ等の所望の一部またはすべてを消去し、コンテンツの不正使用を極めて確実に阻止することができる。
【００２８】
なお、発熱層１６の発熱温度は、活性炭の割合によって決定され、温度上昇の速度は塩類の割合によって決定される。従って、発熱層１６における発熱物質１７、活性炭および塩類の配合の割合は、筐体２の開封後の所定時間内に磁性層１５をキュリー温度Θｆまで加熱することができるように定められる。ただし、磁性層１５（磁気ディスク１０）の温度がキュリー温度Θｆに達していない場合であっても、磁化が弱まって磁気ヘッド等からの再生信号のＳ／Ｎ比が十分に得られない状態になれば、コンテンツやＩＤ等はその価値を失うことになる。従って、発熱層１６による加熱は、磁気ヘッド等からの再生信号のＳ／Ｎ比が十分に得られない程度にまで磁性層１５の磁化を弱めるものであればよい。
【００２９】
また、本実施形態は、基板１１の磁性層１５が形成されている面と反対側の面に発熱層１６が形成されているものとして説明されたが、これに限られるものではない。すなわち、基板１１の内部にチャンバを形成する共に、このチャンバ内に発熱物質１７を収容し、基板１１の側部（外周部）を透湿フィルム１８によって覆ってもよい。更に、発熱層１６を基板１１と磁性層１５との間に設けてもよい。
【００３０】
図６は、本発明による磁気記録装置の他の実施形態を示す概略構成図である。なお、先の実施形態に関して説明されたものと同一の要素については、同一の符号が付され、重複する説明は省略される。
【００３１】
図６に示されるように、磁気記録装置１Ａの磁気ディスク１０Ａには、発熱層が形成されてはおらず、その代わりに、先の実施形態の磁気ディスク１０に設けられていた発熱層１６と概ね同様の構成を有する発熱体２０が、磁気ディスク１０の磁性層１５の上方に位置するように筐体２の内部の所定位置に固定されている。発熱体２０は、ベース部材２１、発熱物質１７および透湿フィルム１８を含み、発熱物質１７は、透湿フィルム１８によって覆われた状態でベース部材２１の上面に装着されている。更に、ベース部材２１の下部には、伝熱部材２２が接続されている。伝熱部材２２は、発熱物質１７から発せられる熱を磁気ディスク１０Ａの磁性層１５に効率よく伝えることができるように、磁気ディスク１０Ａの磁性層１５の表面に近接して位置決めされている。
【００３２】
このように構成される磁気記録装置１Ａでは、筐体２が少しでも開封されると、直ちに筐体２内に空気が流入し、空気中の酸素と接触した発熱体２０の発熱物質１７から熱が発生され、その熱がベース部材２１、伝熱部材２２、および、伝熱部材２２と磁性層１５との間の気体を介して磁性層１５へと伝えられる。従って、磁気記録装置１Ａによっても、磁気ディスク１０Ａの磁性層１５に記録されているＩＤ等が不正盗用される前に、磁性層１５に記録されているコンテンツおよびＩＤ等の所望の一部またはすべてを消去し、コンテンツの不正使用を極めて確実に阻止することができる。
【００３３】
【発明の効果】
以上説明されたように、本発明によれば、コンテンツの不正使用を極めて確実に阻止し得る磁気記録媒体および磁気記録装置の実現が可能となる。
【図面の簡単な説明】
【図１】本発明による磁気記録装置を示す概略構成図である。
【図２】図１の磁気記録装置に含まれる磁気ディスクを示す断面図である。
【図３】磁性体における基本的な磁区の状態を例示する模式図である。
【図４】磁性体に外部磁場を加えた際の磁区の状態を例示する模式図である。
【図５】磁性体の温度と飽和磁化との関係を示す図表である。
【図６】本発明による磁気記録装置の他の実施形態を示す概略構成図である。
【符号の説明】
１，１Ａ　磁気記録装置
２　筐体
３　スピンドルモータ
４　磁気ヘッド
５　ヘッドアーム
６　ボイスコイルモータ
７　回路基板
１０，１０Ａ　磁気ディスク
１１　基板
１５　磁性層
１６　発熱層
１７　発熱物質
１８　透湿フィルム
２０　発熱体
２１　ベース部材
２２　伝熱部材
ＩＧ　不活性ガス
【図１】
2004046938.tif 000003
【図２】
2004046938.tif 000004
【図３】
2004046938.tif 000005
【図４】
2004046938.tif 000006
【図５】
2004046938.tif 000007
【図６】
2004046938.tif 000008